(57)【要約】  【課題】エレベータの静粛運転及び安全運転を行うために、ウェイトの変形が起こらず、取付けが容易であるほか、取付けられているウェイトが脱離することなく、しっかり位置しているエレベータ・ウェイトを提供する。  【解決手段】その内部にセメント混合物が充填される空間が形成され、その両側方に、エレベータに形成されているガイドに係合されてガイドされる突部が形成されている、長方形のハウジングよりなるエレベータ・ウェイトにおいて、前記ハウジングは、セメント混合物を注入するためにハウジングの上部面の一側に形成され、突部を有する注入口と、前記セメント混合物が充填される空間を保持するために内部空間の所定の個所に形成されている支持部と、前記ハウジングの底面に形成され、他のハウジングの注入口の突部と係合される係合溝と、を備える。【選択図】  図１
0003118016.tif 000002
【実用新案登録請求の範囲】
【請求項１】
その内部にセメント混合物が充填される空間が形成され、その両側方に、エレベータに形成されているガイドに係合されてガイドされる突部が形成されている、長方形のハウジングよりなるエレベータ・ウェイトにおいて、
前記ハウジングは、
セメント混合物を注入するためにハウジングの上部面に形成され、突部を有する注入口と、
前記セメント混合物が充填される空間を保持するために内部空間の所定の箇所に形成されている支持部と、
前記ハウジングの底部に形成され、他のハウジングの注入口の突部と係合される係合溝と、を備えることを特徴とするエレベータ・ウェイト。
【請求項２】
前記ハウジングは、
外観を保持するために、ハウジングの外面の所定の箇所に、上下左右を閉曲線状に結ぶ多数の溝をさらに備えることを特徴とする請求項１記載のエレベータ・ウェイト。
【考案の詳細な説明】
【技術分野】
【０００１】
本考案は、エレベータのウェイトに係り、昇降するエレベータのバランス(balance)を取るために用いられるエレベータ・ウェイトに関する。
【背景技術】
【０００２】
従来より、エレベータ、プレス機、原動機のフライホイールや各種の機械、機構のバランスを取る目的で用いられているウェイト(weight)は、比重が７．６−７．８となる鋳鉄(Cast Iron)あるいは鋳鋼(Cast Steel)を用いて製造される。このため、これを溶解させて鋳造するに当たって、公害及び溶鉄の浮き金具による鉄の損失が大であり、製造工程が煩雑であるほか、過大な付帯施設が要され、その結果、製造工程に起因する施設費が嵩んでウェイトがコスト高となり、非経済的であるという問題があった。
【０００３】
本考案の従来例として、下記特許文献１（公告日：１９８１年１２月２７日）に開示されている“ウェイト材(weight   material) ”がある。このウェイト材は、２０〜３０％の鉄粉及び１０〜２０％のセメントと少量の無収縮硬化材を攪拌機により掻き混ぜ、ここに５０〜７０％の鉄屑を混合して金型により成形した後、３日から７日をかけて自然乾燥させ、その後、これらのウェイトをエレベータに積層させて用いるようになっている。
【０００４】
しかしながら、従来のウェイト材は、３日から７日をかけて自然乾燥させてはじめて使用可能な状態となるため、乾燥に時間がかかり、高い自重のために持ち運び性が悪いという問題点がある。
【０００５】
【特許文献１】大韓民国登録特許第１９８１−０００２０７６号公報
【考案の開示】
【考案が解決しようとする課題】
【０００６】
本考案は、上記事情に鑑みてなされたものであり、その目的は、エレベータの静粛運転及び安全運転を行うために、ウェイトの変形が起こらず、取付けが容易であるほか、取付けられているウェイトが脱離することなく、しっかり位置しているエレベータ・ウェイトを提供することにある。
【０００７】
また、本考案の他の目的は、ハウジングを現場のエレベータに直接的に取付けた後、セメント混合物を充填しながら積載するだけで作業が終わることから、重たいウェイトを直接的に運ばなくても済むエレベータ・ウェイトを提供することにある。
【課題を解決するための手段】
【０００８】
上記目的を達成するために、本考案に係るエレベータ・ウェイトは、その内部にセメント混合物が充填される空間が形成され、その両側方に、エレベータに形成されているガイドに係合されてガイドされる突部が形成されている、長方形のハウジングよりなるエレベータ・ウェイトにおいて、前記ハウジングは、セメント混合物を注入するためにハウジングの上部面に形成され、突部を有する注入口と、前記セメント混合物が充填される空間を保持するために内部空間の所定の個所に形成されている支持部と、前記ハウジングの底面に形成され、他のハウジングの注入口の突部と係合される係合溝と、を備えることを特徴とする。
【０００９】
前記ハウジングは、外観を保持するために、ハウジングの外面の所定の個所に、上下左右を閉曲線状に結ぶ多数の溝をさらに備えることを特徴とする。
【考案の効果】
【００１０】
本考案によれば、ハウジングを現場のエレベータに直接的に取付け、セメント混合物を充填した後、ハウジングの注入口と、他のハウジングの下部に形成されているハウジングの係合溝とを係合して積載することで作業が終わることから、重たいウェイトを直接的に運ばなくても済むというメリットがある。また、エレベータの昇降中に生じる振動により注入口と係合溝との離脱が起こらず、元の位置にしっかり位置するという効果もある。
【００１１】
さらに、本考案は、ハウジングの内部に支持部が形成され、ハウジングの外面に多数の溝が形成されていることから、ハウジングの内部に充填されているセメント混合物の固化中にハウジングの変形が起きないというメリットがある。
【考案を実施するための最良の形態】
【００１２】
以下、添付図面に基づき、本考案を詳しく説明する。図１は、本考案のエレベータ・ウェイトの斜視図であり、図２は、図１のエレベータ・ウェイトのＡ−Ａ線断面図であり、図３は、エレベータ・ウェイトの平面図であり、図４は、エレベータ・ウェイトの底面図であり、図５は、エレベータ・ウェイトが積層されている状態を示す図であり、図６は、本考案の他の実施例によるエレベータ・ウェイトを示す図であり、図７は、ウェイトの突部に形成されている取っ手を示す図であり、図８は、他の実施例による取っ手を示す図である。
【００１３】
図１ないし図４に示すように、本考案のエレベータ・ウェイト１は、ウェイトの外観を保持し、その内部にセメント混合物（図示せず）が充填される空間３が形成され、全体として長方形を呈するハウジング２を備える。
【００１４】
このハウジング２の上部面には注入口４が形成されて空間３にセメント混合物を注入することができ、ハウジング２の空間３の所定個所、すなわち、中央部から長手方向に所定の間隔をあけて、上下に貫通した孔を有する多数の支持部５が形成されてセメント混合物が充填されている空間３を保持するようになっている。
【００１５】
また、ハウジング２の両端には突部６が形成されている。さらに、ハウジング２の外部には多数の溝７が所定の間隔をあけて形成され、ハウジング２の底面には注入口４と係合するように注入口４よりも大き目の係合溝８が形成されている。ここで、注入口４の外縁には所定の高さの突部が形成され、係合溝８もまた所定の深さに形成されており、注入口４の突部と係合溝８が係合されることにより、多数のハウジング２を多段に積層することができる。
【００１６】
ここで、溝７はハウジング２の外周面に上下左右の各面の部分が直線状に結ばれて閉曲線状に形成され、ハウジング２の外観は変形され難くなっている。
【００１７】
上記の構成を有するエレベータ・ウェイト１は、図１ないし図４に示すように、ウェイトが必要となるエレベータ（図示せず）まで多数のハウジング２を移動させた後、移動させられたそれぞれのハウジング２にセメント混合物を注入口４を介して注入する。ここで、ハウジング２の内部に形成されている支持部５と、ハウジング２の外面に形成されている溝７により注入されるセメント混合物はハウジング２の形状に固化する。
【００１８】
すなわち、ハウジング２の注入口４を介して注入されるセメント混合物の重量にもかかわらず、ハウジング２の内部に形成されている支持部５と、ハウジング２の外面に形成されている溝７によりハウジング２は変形することなく、その形状をそのまま保持する。
【００１９】
そして、図５に示すように、セメント混合物が注入される多数のハウジング２の突部６がエレベータに形成されているガイド材１０に係合されるように多段に積層する。このとき、積層されたハウジング２はセメント混合物が完全に未固化の状態でも使用することができ、ウェイトの取付け時間が省かれる。
【００２０】
また、ハウジング２の支持部５にはハウジング２の外部から貫通する“孔”が形成されていることから、ここにボルト体を嵌め込んだ後、このボルト体にナット体を螺合して多数のハウジング２を結合することができる。このボルト体とナット体はガイド材１０と一体に、あるいは、これとは別体に使用することができ、これにより、エレベータの昇降時における揺動がなくなる。
【００２１】
そして、未固化のセメント混合物は、ハウジング２の注入口４の突部と他のハウジング２の係合溝８の係合によって封鎖されて漏れ出ることなく乾燥される。さらに、注入口４の突部と係合溝８の係合により多段に積層されている多数のハウジング２は脱離することなく、積層状態を保持する。
【００２２】
一方、本考案の他の実施例によれば、エレベータ・ウェイト１’は、図６に示すように、エレベータの大きさに応じて、エレベータ・ウェイト１’の長さ、大きさ、体積などを製作者の意図通りに大きく（又は小さく）設計して使用することができ、ウェイト１’の長さ及び大きさが大になると、多数の注入口４’を所定の間隔をあけてさらに形成することができる。
【００２３】
そして、本考案のさらに他の実施例によれば、エレベータ・ウェイト１又は１’には、図７に示すように、その両端に形成されている突部６にユーザーにより把持可能な取っ手６ａをさらに形成することができる。この取っ手６ａは、突部６の外方に向けて斜め下方に傾斜する傾斜面６ｂが形成され、傾斜面６ｂの端部には爪６ｃが形成されている。
【００２４】
このようにして形成されている取っ手６ａは、エレベータ・ウェイト１又は１’に充填されているセメント混合物が完全に固化しているウェイト１又は１’をひっくり返し、このひっくり返されたウェイト１又は１’の取っ手６ａをユーザーが把持して多数のウェイト１又は１’を多段に積層するときに有効であり、このひっくり返されて積層されているウェイト１又は１’はその底面が覗けることから、外観上好適である。
【００２５】
一方、図８に示すように、取っ手６ａが突部６の上下両面に互いに対称的に形成すると、ウェイト１又は１’がひっくり返されているとき、あるいは、ひっくり返されていないときにも、ユーザーはウェイト１又は１’を簡単に把持することができ、ウェイト１又は１’を多段に積層し、あるいは、一つずつ移動させることが簡単に行える。
【００２６】
このように、本考案は同じ形状のウェイトを使用することから、エレベータの運転に当たり、振動や騒音などを回避することができ、エレベータの静粛運転及び安全運転を行うことができる。
【００２７】
以上、本考案の好適な実施例について記述したが、本考案が属する技術分野において通常の知識を有する者であれば、実用新案登録請求の範囲に記載されている範囲を逸脱しない限り、本考案を各種の形態に変形または設計変更することができ、これらもまた本考案の範疇に属するとみなすことができる。
【図面の簡単な説明】
【００２８】
【図１】本考案のエレベータ・ウェイトの斜視図である。
【図２】図１のエレベータ・ウェイトのＡ−Ａ線断面図である。
【図３】エレベータ・ウェイトの平面図である。
【図４】エレベータ・ウェイトの底面図である。
【図５】エレベータ・ウェイトが積層されている状態を示す図である。
【図６】本考案の他の実施例によるエレベータ・ウェイトを示す図である。
【図７】ウェイトの突部に形成されている取っ手を示す図である。
【図８】他の実施例による取っ手を示す図である。
【符号の説明】
【００２９】
１    エレベータ・ウェイト
２    ハウジング
３    空間
４    注入口
５    支持部
６    突部
７    溝
８    係合溝
【図１】
0003118016.tif 000003
【図２】
0003118016.tif 000004
【図３】
0003118016.tif 000005
【図４】
0003118016.tif 000006
【図５】
0003118016.tif 000007
【図６】
0003118016.tif 000008
【図７】
0003118016.tif 000009
【図８】
0003118016.tif 000010